(57)【要約】【課題】  打撃工具の打撃力を、杭に対して該杭の長手方向に正確に作用させることのできる手持ち式の杭打込み装置を提供する。【解決手段】  打撃動作を行うハンマビット８を備えた手持ち式の打撃工具３と、前記ハンマビット８の先端側８ａに固定されたアタッチメント４とを備え、前記アタッチメント４は、杭２の長手方向をハンマビット８の打撃方向Ｘに一致させるように杭２に嵌合する杭嵌合部９と、杭２の一端側に接当してハンマビット８の打撃力を杭２に伝達する接当部１３とを備えてなる。【選択図】  図１
2011058263.tif 000002
【特許請求の範囲】
【請求項１】
打撃動作を行うハンマビット（８）を備えた手持ち式の打撃工具（３）と、前記ハンマビット（８）の先端側（８ａ）に固定されたアタッチメント（４）とを備え、
前記アタッチメント（４）は、杭（２）の長手方向をハンマビット（８）の打撃方向（Ｘ）に一致させるように杭（２）に嵌合する杭嵌合部（９）と、杭（２）の一端側に接当してハンマビット（８）の打撃力を杭（２）に伝達する接当部（１３）とを備えていることを特徴とする杭打込み装置。
【請求項２】
前記アタッチメント（４）の杭嵌合部（９）は、円筒状の杭（２）に同芯状に内嵌する円柱状に形成され、アタッチメント（４）の接当部（１３）は、前記杭嵌合部（９）の軸心方向一端側に設けられていて該杭嵌合部（９）から径方向外方に張り出すように形成されていることを特徴とする請求項１に記載の杭打込み装置。
【請求項３】
前記杭嵌合部（９）は杭（２）に対して同芯状に嵌合し、この杭嵌合部（９）の軸心方向一端側に前記接当部（１３）を有する頭部（１０）を設け、この頭部（１０）は杭嵌合部（９）の軸心と同芯状の軸心を備えた孔（１１Ａ）を有し、この孔（１１Ａ）にハンマビット（８）の先端を挿入して該ハンマビット（８）の先端側（８ａ）を前記頭部（１０）に溶接固定していることを特徴とする請求項１又は２に記載の杭打込み装置。
【請求項４】
前記アタッチメント（４）の杭嵌合部（９）は、円柱状の杭（２）に同芯状に外嵌する円筒状に形成され、アタッチメント（４）の接当部（１３）は、前記杭嵌合部（９）の軸心方向一端側に設けられていて該杭嵌合部（９）の内側の孔（１１Ｂ）の縁部から径方向内方に張り出すように形成されていることを特徴とする請求項１又は３に記載の杭打込み装置。
【発明の詳細な説明】
【技術分野】
【０００１】
本発明は、長尺の棒状の杭を地中に打ち込むのに使用される手持ち式の杭打込み装置に関するものである。
【背景技術】
【０００２】
作物の栽培をするためのハウスの支柱を地上に立設させるのに、鋼管からなる長尺の杭を地中に打ち込んで、この鋼管杭に支柱を支持させることが行われている。
前記鋼管杭を地中に打ち込む場合、例えば、鋼管杭を地面に鉛直方向に沿って立て、この状態で鋼管杭の上端を打撃して該鋼管杭を地中に打ち込むが、この鋼管杭を地中に打ち込むべく該鋼管杭に打撃力を与えるのに、手持ち式の打撃工具（特許文献１参照）を使用する事が考えられている。
【先行技術文献】
【特許文献】
【０００３】
【特許文献１】特開平８−１８６９４８号公報
【発明の概要】
【発明が解決しようとする課題】
【０００４】
地面に鉛直方向に沿って立てられた鋼管杭を地中に打ち込むべく該鋼管杭の上端に打撃力を与える際において、打撃力が鋼管杭の長手方向(軸心方向)に正確に加えられないと、杭が地面に対して傾斜状に打ち込まれることとなる。
本発明は、打撃工具の打撃力を、杭に対して該杭の長手方向に正確に作用させることのできる手持ち式の杭打込み装置を提供することを課題とする。
【課題を解決するための手段】
【０００５】
前記技術的課題を解決するために本発明が講じた技術的手段は、打撃動作を行うハンマビットを備えた手持ち式の打撃工具と、前記ハンマビットの先端側に固定されたアタッチメントとを備え、
前記アタッチメントは、杭の長手方向をハンマビットの打撃方向に一致させるように杭に嵌合する杭嵌合部と、杭の一端側に接当してハンマビットの打撃力を杭に伝達する接当部とを備えていることを特徴とする。
【０００６】
また、前記アタッチメントの杭嵌合部は、円筒状の杭に同芯状に内嵌する円柱状に形成され、アタッチメントの接当部は、前記杭嵌合部の軸心方向一端側に設けられていて該杭嵌合部から径方向外方に張り出すように形成されているのがよい。
また、前記杭嵌合部は杭に対して同芯状に嵌合し、この杭嵌合部の軸心方向一端側に前記接当部を有する頭部を設け、この頭部は杭嵌合部の軸心と同芯状の軸心を備えた孔を有し、この孔にハンマビットの先端を挿入して該ハンマビットの先端側を前記頭部に溶接固定するのがよい。
【０００７】
また、前記アタッチメントの杭嵌合部は、円柱状の杭に同芯状に外嵌する円筒状に形成され、アタッチメントの接当部は、前記杭嵌合部の軸心方向一端側に設けられていて該杭嵌合部の内側の孔の縁部から径方向内方に張り出すように形成されているのがよい。
【発明の効果】
【０００８】
本発明によれば、アタッチメントの杭嵌合部を杭に嵌合させると、杭の長手方向がハンマビットの打撃方向に一致する。この状態でハンマビットを打撃動作させると、該ハンマビットからの打撃力が杭に対してアタッチメントの接当部を介して該杭の長手方向に正確に作用する。
【図面の簡単な説明】
【０００９】
【図１】杭打込み装置の正面図である。
【図２】鋼管杭に嵌合したアタッチメントの断面図である。
【図３】鋼管杭に嵌合した他の形態のアタッチメントの断面図である。
【発明を実施するための形態】
【００１０】
以下、本発明の実施の形態を図面を参照して説明する。
図１において、１は長尺の鋼管杭２（円柱状の杭２）を地中に打ち込むための手持ち式の杭打込み装置であり、手持ち式の打撃工具３と、この打撃工具３に固定されたアタッチメント４とを有する。
前記打撃工具３は、本実施形態では、市販の電動式の打撃工具３（電動ハンマ）が採用されている。なお、打撃工具３としては、空圧式の打撃工具や油圧式の打撃工具を採用してもよい。
【００１１】
この打撃工具３は、工具本体５と、該工具本体５の上部に設けられた一対の把持ハンドル６と、工具本体５の下端に取り付けられたツールホルダ７と、このツールホルダ７に軸心方向の基端側が着脱自在に装着されたハンマビット８とを有する。
前記工具本体５のハウジングの内部には、電動モータと、該電動モータの回転出力を直線方向に変換する運動変換機構と、この運動変換機構によって変換された電動モータの回転出力によって直線方向（図１の上下方向）に往復駆動されるハンマ(ストライカ)とが収納されている。
【００１２】
前記ハンマビット８は、その基端側がツールホルダ７に軸心方向所定範囲で移動自在に装着されており、該ハンマビット８の基端が往復駆動される前記ハンマによって繰り返し打撃されることによって該ハンマビット８が軸心方向一方Ｘに打撃動作する。
また、ハンマビット８の先端側８ａは、先細り状に形成されている（図２参照）。
図２に示すように、前記アタッチメント４は、円柱状の杭嵌合部９と、この杭嵌合部９の軸心方向一端側に同芯状として設けられた円柱状の頭部１０とから構成されている。
【００１３】
このアタッチメント４は、本実施形態では、金属製の円筒部材（パイプ材）の外周面を軸心方向の一端側の一部分（頭部１０）を残して切削することにより杭嵌合部９が形成されていて、杭嵌合部９と頭部１０とが一体形成されていると共に中空状とされている。
したがって、本実施形態では、アタッチメント４の杭嵌合部９及び頭部１０が円筒状に形成されていて、該アタッチメント４の内部に、軸心方向一端から他端にわたって貫通し且つ杭嵌合部９及び頭部１０と同芯状の孔１１を有する（換言すると、頭部１０と杭嵌合部９との内部に、同径で同芯状の孔１１Ａ，１１Ｂを有する）。
【００１４】
前記杭嵌合部９の外径は打ち込まれる杭２の内径に合わせて形成され、杭２に嵌脱自在で且つ同芯状に内嵌可能とされている。
また、杭嵌合部９の軸心方向他端側（頭部１０とは反対側）は、先細り状のテーパ部１２が形成されていて、杭嵌合部９を杭２に挿入する際に挿入容易とされている。
前記頭部１０は杭嵌合部９より大径に形成されていて外周部が杭嵌合部９から径方向外方に張り出しており、この杭嵌合部９から径方向外方に張り出した部分が、杭２の軸心方向一端側に杭嵌合部９を内嵌したときに該杭２の一端側が接当する接当部１３とされている（したがって、本実施形態では、接当部１３は杭嵌合部９の周方向全周から径方向外方に張り出す環状とされている）。
【００１５】
また、アタッチメント４の頭部１０は、ハンマビット８の軸心と杭嵌合部９の軸心とが同芯状となるように、ハンマビット８の先端側８ａに固定されている。
具体的には、ハンマビット８の先端はアタッチメント４の頭部１０の孔１１Ａに挿入されていると共に該頭部１０の孔１１Ａの縁部にハンマビット８の先端側８ａが接当しており、且つハンマビット８の軸心が杭嵌合部９の軸心に対して同芯状となるように、頭部１０の孔の縁部周囲にハンマビット８の先端側８ａが溶接されている。
【００１６】
これによって、杭嵌合部９を杭２に内嵌すると、杭２の長手方向（軸心方向）がハンマビット８の軸心方向に一致、すなわち、ハンマビット８の打撃方向Ｘに一致する。
前記構成の杭打込み装置１にあっては、図１に示すように、杭２を鉛直方向に沿って地面Ｙに立てると共に該杭２にアタッチメント４の杭嵌合部９を内嵌し、この状態で、打撃工具３を駆動してハンマビット８を打撃動作させる。
【００１７】
すると、ハンマビット８の打撃力は、杭２に対してアタッチメント４の接当部１３を介して杭２の長手方向に正確に作用するので、杭２を地中に鉛直方向にまっすぐに打ち込むことができる。
前記構成の杭打込み装置１にあっては、地上に設置されて杭２を支持する部材を必要と
しない。
【００１８】
また、前記打撃工具３の一方の把持ハンドル６又は工具本体５側に該打撃工具３の駆動用スイッチ（電動モータ駆動用スイッチ）が設けられている場合は、作業者は脚立等に上って打撃工具３を支持しながら杭打ち作業をしなければならないが、杭２に対して必要十分な荷重を加えられる重量の打撃工具３を採用し且つ打撃工具３から離れた所から打撃工具３を駆動することができるようにすることにより、作業者は地上にて杭２を支持して打撃工具３を駆動するだけで杭打ち作業が行え、作業者は高い所に上らなくても（打撃工具３を支持しなくても）杭打ち作業を行うことができる。
【００１９】
また、前記構成の杭打込み装置１にあっては、杭嵌合部９の外径の異なるアタッチメント４が固定されたハンマビット８を複数用意しておき、ハンマビット８をツールホルダ７に付け替えることにより、径の異なる杭２に対応することができる。
本発明は前記実施形態のものに限定されることなく、種々設計変更可能であり、例えば、前記アタッチメント４は、金属製の中実の棒材を切削することにより形成してもよく、この場合、頭部１０にハンマビット８の先端を挿入するための孔を穿設するのがよい。また、杭嵌合部９と頭部１０とを別体で形成して、両者を溶接によって連結することによりアタッチメント４が形成されていてもよい。
【００２０】
また、図３に示す形態のアタッチメント４のように、杭嵌合部９が杭２に外嵌するように構成されたものであってもよい。
この図３に示すアタッチメント４は、円筒状の杭嵌合部９の軸心方向一端側に、円筒状の頭部１０を同芯状に溶接固定したものである。
また、頭部１０の内径は杭嵌合部９の内径よりも小径とされていて、頭部１０は、杭嵌合部９の内側の孔１１Ｂの縁部から径方向内方に張り出す接当部１３を有する。
【００２１】
この図３に示す形態のアタッチメント４にあっては、杭嵌合部９の内径は打ち込まれる杭２の外径に合わせて形成され、該杭嵌合部９は杭２に嵌脱自在で且つ同芯状に外嵌可能とされており、杭嵌合部９を杭２の軸心方向一端側に外嵌すると、杭２の一端側が接当部１３に接当するよう構成されている。
その他の構成は前記図１、２に示す実施形態の杭打込み装置１と同様に構成される。
【００２２】
なお、この図３に示すアタッチメント４にあっても、金属製のパイプ材の内部を切削することにより、杭嵌合部９と頭部１０とを一体形成するようにしたものであってもよい。
この図３に示す形態のアタッチメント４を有する杭打込み装置１にあっては、アタッチメント４の杭嵌合部９は杭２に外嵌する構造であるので、忠実の円柱状の杭２を打ち込むことができるという効果を奏する。
【００２３】
これに対して、前記図２に示すアタッチメント４を有する杭打込み装置１にあっては、アタッチメント４の杭嵌合部９は杭２に内嵌する構造であるので、杭２を地中に深く打ち込んでも、杭嵌合部９が地中に直接埋設しないことから、杭嵌合部９の軸心方向の長さを長く採ることができるという効果を奏する。
【符号の説明】
【００２４】
２    杭
３    打撃工具
４    アタッチメント
８    ハンマビット
８ａ  ハンマビットの先端側
９    杭嵌合部
１０    頭部
１１Ａ  頭部の孔
１１Ｂ  杭嵌合部の孔
１３    接当部
Ｘ    打撃方向
【図１】
2011058263.tif 000003
【図２】
2011058263.tif 000004
【図３】
2011058263.tif 000005